(57)【要約】【課題】会員である競馬ファンに、的中率の高い勝馬情報を確実、容易に伝達可能な手段を提供する。【解決手段】競馬の勝馬予想要因にレース直前に確定する馬体重、最終の調教仕上がり、パドックの状態、騎手の変更などの直前情報を取り込んで勝馬を予想し、該勝馬予想情報を会員制ホームページに馬券投票締め切り前に掲載すると共に、前記会員制ホームページに自動的に接続可能とするための手順を記載したプログラムが記憶されたメモリを内在する外部デバイスと、携帯電話端末の情報入出力端子に該外部デバイスを挿入接続することによって自動的に前記会員制ホームページと送受信可能に接続し、前記会員制ホームページの認証画面にてホームページ認証パスワードを入力するようにして会員認証を行い、前記会員制ホームページの勝馬情報を閲覧可能とした。【選択図】　　　　図１
2004062845.tif 000002
【特許請求の範囲】
【請求項１】
競馬の勝馬予想要因にレース直前に確定する馬体重、最終の調教仕上がり、パドックの状態、騎手の変更などの直前情報を取り込んで勝馬を予想し、該勝馬予想情報を会員制ホームページに馬券投票締め切り前に掲載すると共に、前記会員制ホームページに自動的に接続可能とするための手順を記載したプログラムが記憶されたメモリを内在する外部デバイスと、携帯電話端末の情報入出力端子に該外部デバイスを挿入接続することによって自動的に前記会員制ホームページと送受信可能に接続し、前記会員制ホームページの認証画面にてホームページ認証パスワードを入力するようにして会員認証を行い、前記会員制ホームページの勝馬情報を閲覧可能とした勝馬情報提供システム。
【請求項２】
勝馬予想要因は、直前情報の他、出走馬の基本的能力、過去のレース成績、調教の状態、騎手の能力、出走馬と競馬場の相性、レース展開等である請求項１に記載の勝馬情報提供システム。
【請求項３】
外部デバイスは、メモリ内蔵マイクロコンピュータあるいは、単なるメモリ媒体により、外部デバイスごとに設定された認識ＩＤを含む記憶データ及び、前記会員制ホームページに自動的に接続可能とするためのプログラムが記録可能である請求項１に記載の勝馬情報提供システム。
【請求項４】
会員認証は、外部デバイスごとに設定された認識ＩＤ、会員番号及び、会員パスワードなどの会員識別情報と、サーバーのデータベースとを照合することにより行われる請求項１に記載の勝馬情報提供システム。
【請求項５】
会員識別情報は、外部デバイスごとに設定された認識ＩＤ、会員番号及び、会員パスワードなどの他、携帯電話端末の固体番号及び、携帯電話番号を含む請求項４に記載の勝馬情報提供システム。
【請求項６】
会員が会員制ホームページの勝馬情報を閲覧した場合、会員制ホームページを管理するサーバーは、会員の閲覧履歴に基づき、会員制ホームページ閲覧料を徴収するようにした請求項１に記載の勝馬情報提供システム。
【発明の詳細な説明】
【０００１】
【発明の属する技術分野】勝馬情報を入手希望会員に「的中率の高い勝馬予想情報」を同時に多数の会員に対し、瞬時に提供するシステムに関するものである。
【０００２】
【従来の技術】従来技術は、特開平８−３０７９２１号は、入力された予約情報を登録する予約登録手段と、予約情報に基づき当日の日付と予約日付とが一致した場合に当日の情報データを所定の区分に応じて更新する予約更新手段と、当日情報データの提供時刻が予約された現在時刻と一致した際に情報データを読み込み利用者に応じて加工する監視手段と、利用者の個人情報に応じて加工されたデータを利用者が所持するポケットベルに転送する案内手段とを備えた、情報提供システムが開示されている。
【０００３】特開平９−２７０８６３号は、競馬のレースのオッズデータをオッズデータセンタへ集め、携帯電話機７からそのオッズデータセンタへダイヤルしアクセスして、このレースのオッズ情報を携帯電話機へ送信し、携帯電話機の表示部に表示させるようにした情報提供システムが開示されている。
【０００４】特開２００１−２２９８９号は、投票端末装置からオッズなどの情報取得要求があった場合、投票センタ装置より、アクセスしてきた投票端末装置へ、「馬体重」や「競争成績」などの情報の現在の確定状況を付加して送る。投票端末装置では、投票センタ装置からの「馬体重」や「競争成績」などの情報の現在の確定状況を、確定・未確定および取得済みであるか否かを識別可能な状態で表示するようにした投票システムが開示されている。
【０００５】特開２００１−２９１０１５号、特開２００２−９２５３３号に「インターネットカード」（磁気やＩＣチップやメモリ等コンピュータが読み取り可能な手段で、特定プロバイダーやインターネット上の特定ポータルサイトや特定ホームページに直接接続するための要件や手続きや操作の指示を全て書き込んだカードで、このカードの読み取り装置（請求項２の装置）のついた情報端末機（コンピュータやインターネットのできるテレビやゲーム機や携帯電話や情報携帯端末機等）に、このカードを差し込むだけの動作で、特定プロバイダーや特定ポータルサイトや特定ホームページに自動的に直結して交信したり情報のやりとりができるカード）を公営ギャンブル（競馬、競輪、競艇オートレース等）に利用して情報を送受信する発明が開示されている。
【０００６】
【発明が解決しようとする課題】しかしながら、これらの従来技術は、競馬ファンに対するサービスとして、競馬の勝馬予想を立てるための情報を提供するものが多く、積極的に的中率の高い勝馬予想情報を提供するものではなかった。また、勝馬予想を立てるための重要な要因である、レース直前に確定する馬体重、最終の調教仕上がり、パドックの状態、騎手の変更などの直前情報レース直前に確定するため、情報を入手してから予想を立てて、多数の会員に伝達することができなかった。従来の通信手段である、ＦＡＸは固定電話に接続されていることが多く同報ＦＡＸは回線等の費用がかさむ欠点があった。
また、電話受付の場合レース直前に電話アクセスが重なり、電話回線の処理能力オーバーをきたすことがあった。
携帯電話端末のメール機能に同報配信した場合、着信時間の遅延が発生し、該当レースの勝馬投票締め切りに間に合わないことがある等確実性が保証されないという問題点があった。
【０００７】
本発明は、上記のような問題点を解決するためになされたもので、会員である競馬ファンに、的中率の高い勝馬情報を確実、容易に伝達可能な手段を提供することを目的とする。
【０００８】
【課題を解決するための手段】競馬の勝馬予想要因にレース直前に確定する馬体重、最終の調教仕上がり、パドックの状態、騎手の変更などの直前情報を取り込んで勝馬を予想し、該勝馬予想情報を会員制ホームページに馬券投票締め切り前に掲載すると共に、前記会員制ホームページに自動的に接続可能とするための手順を記載したプログラムが記憶されたメモリを内在する外部デバイスと、携帯電話端末の情報入出力端子に該外部デバイスを挿入接続することによって自動的に前記会員制ホームページと送受信可能に接続し、前記会員制ホームページの認
証画面にてホームページ認証パスワードを入力するようにして会員認証を行い、前記会員制ホームページの勝馬情報を閲覧可能とした。
【０００９】競馬の勝馬を予想立てるための要因は、１）出走馬の基本的能力、２）過去のレース成績、３）調教の状態、４）騎手の能力、５）出走馬と競馬場の相性、７）レース展開、８）最終の調教仕上がり、９）馬体重、１０）パドックの状態などが上げられる。
【００１０】１）出走馬の基本的能力としては、血統（父、母、父母の血筋）、年齢、脚質（レース時の特徴）、獲得賞金、得意距離、得意馬場状態、競馬場の相性などである。
２）過去のレースの成績としては、競馬場、距離、レース条件、馬場状態、騎手、レース展開、着順（成績）、休養期間などである。
３）調教の状態としては、調教師（勝鞍数）、厩舎情報、追い切りタイムなどである。
４）騎手の能力としては、経験、勝率、５）出走馬と競馬場の相性としては、左回りか、右回りか、６）馬場状態としては、芝かダートか、良馬場か不良馬場か、７）レース展開としては、全出走場の特徴、状態、レース展開、８）最終の調教仕上がりとしてはレース当日の馬体の状態、９）馬体重としては、レース出走１時間前に確定する馬体重、馬体重に基づくハンデの大小、１０）パドックの状態としては、出走馬の毛艶、汗のかき方、入れ込み状態などの要因がある。
上記勝馬要因を基に所定の係数すなわち、１）〜７）の係数よりも、８）〜１０）の係数を高めに設定するなどして、勝馬の予想を立てる。
【００１１】上記１）〜７）は出走レース前日の夜までに決定している要因である。６）馬場状態は天気予報により事前に予測できる。
８）〜１０）は出走の間際に確定する直前情報であり、レース結果を左右する主たる要因である。直前情報を勝馬予想情報として加味するようにしたので、勝馬予想的中率の向上に寄与することができた。
また、直前の出走取り消し、騎手変更などの突発的な変更である直前情報にも対応可能であるので、的中率の高い良質の勝馬予想情報の策定・配信を可能とした。
【００１２】該勝馬予想情報を会員制ホームページに馬券投票締め切り前に掲載する手順は、会員制ホームページ管理者用画面の所定の項目に上記勝馬予想情報を入力し、送信することにより、レース直前に確定する馬体重、最終の調教仕上がり、パドックの状態、騎手の変更などの直前情報が加味された、的中率の高い勝馬情報を会員制ホームページに掲載されるようにした。
【００１３】外部デバイスの形態は、携帯電話端末の情報入出力端子に接続する端子を持った形状であり、記憶媒体はメモリ内蔵マイクロコンピュータあるいは、単なるメモリ媒体である。
外部デバイスのメモリに記憶されている情報は、少なくとも外部デバイスごとに設定された認識ＩＤ、会員番号を含む識別データと、会員制ホームページに自動的に接続可能とするための要件、手続き、操作の指示プログラムである。
【００１４】携帯電話端末と会員制ホームページの接続は、携帯電話会社を経由して、インターネット上に形成されたプロバイダーが管理するコンピュータに接続するようにして行う。
インターネットのプロバイダーまでの通信手段は、一般に有線の電話回線が用いられているが、無線や、光ファイバー回線を経由することも可能である。
【００１５】以下、図面を用いて、本発明の実施例を詳しく説明する。
【実施例】
本発明の勝馬予想情報システムの全体の流れを、図１および、図２を用いて説明する。
最初に会員制勝馬予想情報の配信を希望する会員は会員登録１を行う。会員登録は、会員申込を会員制勝馬予想情報提供組織に行って、会員権を取得する。
申し込み方法は、一般に行われている。書類、インターネットホームページよりの申し込みが可能である。
【００１６】会員権を取得した会員に対し、会員制ホームページに接続可能な情報を記録した外部デバイス配布２する。
外部デバイス１２は前記したとおり、携帯電話端末１１の情報入出力端子１１ａに接続することにより自動的に会員制ホームページにアクセス（接続）可能３になっている。
会員制ホームページを管理するサーバーの記憶装置に、会員制ホームページより勝馬予想情報を閲覧可能にするための、会員識別情報を入力し記憶させる。会員識別情報は、外部デバイスごとに設定された認識ＩＤ、会員番号及び、会員パスワードなどである。会員識別情報の他に、会員の携帯電話番号、住所、会費管理情報など必要に応じて記憶させることも可能である。
【００１７】会員制勝馬予想情提供組織は、競馬開催日前に、会員に対し、電子メールにて予告メールを配信４し、会員制ホームページ５に勝馬予想情報の提供の告知６する。
予告メールの内容は、競馬開催の予告の他、勝馬予想情報提供に関する、競馬開催場所、レース名、レース番号、予想日時等の情報を通知し、勝馬予想情報の閲覧を促すようにするものである。
会員制勝馬情報提供組織は、当日の勝馬予想情報を出走レースごとに掲載するページを作成７し、直前情報を加味した勝馬情報としてホームページ８に掲載する。
会員は、前記外部デバイス１２を携帯電話端末１１の情報入出力端子１１ａに接続することにより、会員制ホームページに自動的に接続し、直前情報を加味した的中率の高い勝馬予想情報を入手可能になる。
【００１８】
競馬開催日の出走レースごとの勝馬予想情報は、勝馬情報として馬券投票締め切り前に会員制ホームページ８に掲載される。
勝馬予想情報の配信を希望する会員は、前記外部デバイス１２を携帯電話端末１１に接続することにより、前記会員制ホームページ８に自動的に接続され必要とするレースの勝馬情報を当日情報として閲覧可能９となる。
【００１９】会員制ホームページを閲覧する手順を図３及び、図５〜図７に示す。
会員が携帯電話端末１１と外部デバイス１２の情報入出力端子同士を接続することにより、自動的に会員制ホームページに接続される。（携帯電話端末から送信される会員識別情報は、外部デバイスごとに設定された認識ＩＤ、会員番号、携帯電話の固体番号、携帯電話番号などである。）
図５〜図７は　勝馬情報が掲載された携帯電話の会員用画面である。
図５の画面５０で、会員入り口ボタン５１をプッシュすることにより、会員認証画面５２が表示される（図６）。画面５２の入力窓５３に認証パスワードを入力し認証ボタンをプッシュすることにより、認証パスワードが正しい場合、会員のメニュトップ画面５４が表示される（図７）。会員メニュトップ画面は１．勝馬情報サービス５５、２．最新競馬情報５６、３．馬の写真５７などのメニュが用意されている。
会員認証２３で会員認証ができなかった場合Ｎｏに進みアクセス不可２４となって再度会員認証画面５２が表示される。
【００２０】会員認証２３の手順は、会員制ホームページを管理しているサーバーの会員データ２２の該当データと照合することにより行われる。
誤って外部デバイスを紛失した場合でも、認証パスワードにより他人の使用が制限される。さらに、携帯電話の固体番号、携帯電話番号を自動的に識別するようにすることに設定した場合、指定する携帯電話端末のみから会員制ホームページに接続できるようにした場合、セキュリティのレベルは格段に向上する。
【００２１】会員認証がされた場合Ｙｅｓを進んで、会員制ホームページの開示時刻の判定２５の判断がされる、開示時刻であった場合Ｙｅｓを進んで当日のレース限定勝馬情報の画面の閲覧９が可能となる。指定時間外のアクセスの場合、Ｎｏに進んで指定時間外アクセス３３から終了３５処理にまわされる。
当日のレース限定情報の掲載手順１０は、図１の説明と重複するので省略する。
【００２２】会員が当日のレース限定情報を閲覧９した場合、（会員がログイン認証画面により認証された場合と同じ）、会員制ホームページを管理するサーバーは、参照履歴３２を取得して、閲覧履歴を会員参照履歴テーブル３１に保管する。
会員参照履歴に基づき、会員規定に定めた会員制ホームページ閲覧料を会員課金処理３０する。
携帯電話の電源を切断することにより、会員制ホームページと会員の携帯電話端末のログオフ３４ステップが実行され、回線が切断され終了３５処理される。
【００２３】図４は、勝馬情報掲載手順１０を示した説明図である。
競馬の勝馬を予想立てるための要因のうち１）出走馬の基本的能力、２）過去のレース成績、３）調教の状態、４）騎手の能力、５）出走馬と競馬場の相性、７）レース展開　は、レース開催日までに情報収集及び、過去の情報を参照して情報を作成する。ついで、この情報に８）当日の厩舎、調教情報、９）馬体重、１０）パドックの状態、直前の出走取り消し、騎手の変更情報を加味して勝馬予想情報４０を作成する。勝馬予想情報４０はホームページ掲載管理者の伝達され、勝馬情報としてホームページ７を作成する。作成されたホームページは、会員制ホームページのサーバーの勝馬情報アクセスデータベースに保管され、ホームページとして閲覧可能になる。
【００２４】会員制ホームページの勝馬情報掲載画面を、図８〜１１図に示す。
勝馬情報メニュ画面６０は、会員メニュトップ画面５４の１．勝馬情報サービスをプッシュして開いた画面である。
勝馬情報メニュ画面は、１．予想６１、　２．パドック情報６２、　トップページ６３、のメニューが用意されている。
１．　予想は、図９の指定レース予想画面６４につながっている。　２．パドック情報は、個々のレースごとの出走馬に関するパドック情報として、毛艶、汗のかき方、入れ込み状態などのリストが表示できるようになっている。
戻る６８は一つ前の画面に戻る、トップページ６９は会員のメニュートップ画面５４に戻るメニュである。
【００２５】指定のレース予想画面６４は、レース名、レース番号、着順の予想が掲載される。
単勝の予想、馬連の予想、ワイドの予想、枠連の予想などの情報６５が掲載される。
【００２６】他に、資金配分６６、レースコメント６７などの情報を閲覧することができる。
図１０は資金配分画面７０である資金配分画面７０は、レース名、レース番号、馬連の資金配分割合情報が掲載される。他に、戻る７２、トップページ７３メニュが用意されている。
【００２７】図１１はレースのコメント画面７４である、画面にレースのコメント７５が表示されるようになっている。
【００２８】会員は会員制ホームページの勝馬情報掲載画面で、競馬開催場所、レース名、レース番号を選択もしくは入力することにより、所望のレースの勝馬予想情報が閲覧できる。
また、会員はレース結果も、競馬開催場所、レース名、レース番号を選択もしくは入力することにより、所望のレースの勝馬結果情報が閲覧できる。
【発明の効果】
以上説明したように、本発明は、レース直前に確定する馬体重、最終の調教仕上がり、パドックの状態、騎手の変更などの直前情報を基に予想を立てるようにしたので、的中率の高い勝馬情報を提供できるようになった。
携帯電話端末で勝馬投票締め切り前に多数の会員が的中率の高い勝馬情報を、入手できるようにしたので、馬券を購入（勝馬投票）した会員の満足度を向上させる効果が期待できる。
的中率の高い勝馬情報を同時、多数の会員に対し、瞬時（ホームページ掲載と同時）に提供可能としたことにより、同業の競馬勝馬予想会社に対し優位性を保つことができるなどの効果がある。
また、会員が会員制ホームページの勝馬情報を閲覧した場合、会員制ホームページを管理するサーバーは、会員の閲覧履歴に基づき、会員制ホームページ閲覧料を徴収するようにしたので、会員制競馬予想情報提供組織の維持発展が期待できる。
【図面の簡単な説明】
【図１】本発明の勝馬予想情報システムの全体の流れ図
【図２】携帯電話端末と外部デバイスの接続状態を示す説明図
【図３】会員制ホームページを閲覧する手順の説明図
【図４】勝馬情報掲載手順説明図
【図５】会員入り口画面
【図６】ログイン認証画面
【図７】会員メニュトップ画面
【図８】勝馬情報メニュ
【図９】指定レース予想画面
【図１０】資金配分画面
【図１１】レースコメント画面
【符号の説明】
１０・・・勝馬情報掲載手順
１１・・・携帯電話端末
１２・・・外部デバイス
５２・・・ログイン認証画面
５３・・・認証パスワード入力窓
６４・・・指定のレース予想画面
【図１】
2004062845.tif 000003
【図２】
2004062845.tif 000004
【図３】
2004062845.tif 000005
【図４】
2004062845.tif 000006
【図５】
2004062845.tif 000007
【図６】
2004062845.tif 000008
【図７】
2004062845.tif 000009
【図８】
2004062845.tif 000010
【図９】
2004062845.tif 000011
【図１０】
2004062845.tif 000012
【図１１】
2004062845.tif 000013